(57)【要約】キャップ手段は、容器ネックへの連結に適し、分注手段（８）が設けられた本体（２）と、上記分注手段（８）を閉じるように構成される蓋手段（３）と、破断可能手段（１８）を通して上記蓋手段（３）に接続され、上記本体（２）の対応するさらなるフック手段（２６、３８）と係合するように構成されるフック手段（２３）を備える開封インジケーション手段（１７、３７）と、を備え、該キャップ手段は、上記さらなるフック手段（２６、３８）と共に、上記フック手段（２３）が上記さらなるフック手段（２６、３８）と相互作用する際に、上記開封インジケーション手段（１７、３７）の変形を制限するように構成される関連するガイド手段（３４）があることを特徴とする。【選択図】図３
2009525928.tif 000002
【特許請求の範囲】
【請求項１】
容器ネックとの連結に適し、分注手段（８）が設けられた本体（２）と、前記分注手段（８）を閉じるように構成される蓋手段（３）と、破断可能手段（１８）を通して前記蓋手段（３）に接続され、前記本体（２）の対応するさらなるフック手段（２６、３８）に係合するように構成されるフック手段（２３）を備える開封インジケーション手段（１７、３７）と、を備えるキャップ手段であって、前記さらなるフック手段（２６、３８）と共に、前記フック手段（２３）が前記さらなるフック手段（２６、３８）と相互作用する際に、前記開封インジケーション手段（１７、３７）の変形を制限するように構成される関連するガイド手段（３４）があることを特徴とする、キャップ手段。
【請求項２】
前記さらなるフック手段（２６、３８）は、前記本体（２）に関連する壁手段（２７）を備える、請求項１に記載のキャップ手段。
【請求項３】
前記さらなるフック手段（２６、３８）は、前記本体（２）に関連し、前記壁手段（２７）に対して横方向に構成されるさらなる壁手段（３１）を備える、請求項２に記載のキャップ手段。
【請求項４】
前記さらなる壁手段は、前記壁手段（２７）の両端から出る壁（３１）を備える、請求項２に従属する請求項３に記載のキャップ手段。
【請求項５】
前記ガイド手段は、前記本体（２）に関連するガイド要素（３３、３５）を備える、請求項１乃至４のいずれか１項に記載のキャップ手段。
【請求項６】
前記ガイド要素（３３、３５）は前記壁手段（２７）に面する、請求項２乃至４のいずれか１項に従属する請求項５に記載のキャップ手段。
【請求項７】
前記破断可能手段は複数のブリッジ要素（１８）を備え、各ガイド要素（３３、３５）は、前記フック手段（２３）が前記さらなるフック手段（２６、２８）と相互作用する際に、前記複数のブリッジ要素（１８）の各ブリッジ要素（１８）に面する、請求項５又は６に記載のキャップ手段。
【請求項８】
前記さらなるフック手段（２６、３８）は、前記フック手段（２３）を前記さらなるフック手段（２６、３８）と相互作用させるように構成される係合促進手段（３０）を備える、請求項１乃至７のいずれか１項に記載のキャップ手段。
【請求項９】
前記係合促進手段は、前記フック手段（２３）が前記さらなるフック手段（２６、３８）と相互作用する意図される進行方向に対して傾斜した係合促進表面（３０）を備える、請求項８に記載のキャップ手段。
【請求項１０】
前記係合促進表面（３０）は、前記分注手段（８）で収束する、請求項９に記載のキャップ手段。
【請求項１１】
前記係合促進表面（３０）は、前記壁手段（２７）の傾斜部分を画定し、請求項８は請求項２乃至４のいずれか１項又は請求項２乃至４のいずれか１項に従属する請求項５乃至７のいずれか１項に従属する、請求項９又は１０に記載のキャップ手段。
【請求項１２】
前記さらなるフック手段（２６、３８）は、該キャップ手段（１）が、前記蓋手段（３）が前記分注手段（８）に係合する閉位置（Ａ）にあるときに前記破断可能手段（１８）の状態を調べられるように構成される開口手段（３６）を備える、請求項１乃至１１のいずれか１項に記載のキャップ手段。
【請求項１３】
前記開口手段（３６）は、前記壁手段（２７）において得られる複数の開口（３６）を備える、請求項２乃至４のいずれか１項又は請求項２乃至４のいずれか１項に従属する請求項５乃至１１のいずれか１項に従属する請求項１２に記載のキャップ手段。
【請求項１４】
前記閉位置（Ａ）において、前記複数の開口（３６）の各開口（３６）は、前記破断可能手段が設けられる複数の破断可能要素の破断可能要素（１８）に構成される、請求項１３に記載のキャップ手段。
【請求項１５】
該キャップ手段（１）が、前記蓋手段（３）が前記分注手段（８）に係合する閉構成（Ａ）をとることができるように、前記蓋手段（３）を前記本体（２）に接続するヒンジ手段（１３）をさらに備える、請求項１乃至１４のいずれか１項に記載のキャップ手段。
【請求項１６】
前記本体（２）には側壁（４）が設けられ、前記ヒンジ手段は、該キャップ手段（１）が前記閉構成（Ａ）であるときに前記側壁（４）を越えて前記本体（２）から突出しない、請求項１５に記載のキャップ手段。
【請求項１７】
前記ヒンジ手段（１３）は、前記本体（２）の周縁（３２）内に構成されるゾーン内に設けられる、請求項１６に記載のキャップ手段。
【請求項１８】
前記ヒンジ手段は、前記蓋手段（３）及び前記本体（２）が相互に回転する回転軸手段（Ｘ）を画定し、前記本体は、前記閉構成（Ａ）において前記蓋手段（３）の一端（１９）を受けるように構成される静止表面手段（９）を備え、前記回転軸手段（Ｘ）は前記静止表面手段（９）から離れている、請求項１５乃至１７のいずれか１項に記載のキャップ手段。
【請求項１９】
前記回転軸手段（Ｘ）は、前記側壁（４）の、前記静止表面手段（９）とは逆の側に構成される、請求項１６又は１７に従属する請求項１８に記載のキャップ手段。
【請求項２０】
前記回転軸手段（Ｘ）は、前記静止表面手段（９）に略平行して構成される、請求項１８又は１９に記載のキャップ手段。
【請求項２１】
前記ヒンジ手段（１３）は、前記回転軸手段（Ｘ）を画定する一対の接続要素（１４）を備える、請求項１８乃至２０のいずれか１項に記載のキャップ手段。
【請求項２２】
前記ヒンジ手段（１３）は、前記閉構成（Ａ）において、又は前記蓋手段（３）が前記分注手段（８）から係合解除される開構成（Ｂ）において該キャップ手段（１）を保持するように構成される弾性接続手段（１５）を備える、請求項１５乃至２１のいずれか１項に記載のキャップ手段。
【請求項２３】
前記弾性接続手段は、前記接続要素（１４）間に配置される弾性接続要素（１５）を備える、請求項２１に従属する請求項２２に記載のキャップ手段。
【請求項２４】
前記フック手段は、前記開封インジケーション手段（１７、３７）から突出するフック要素（２３）を備える、請求項１乃至２３のいずれか１項に記載のキャップ手段。
【請求項２５】
前記さらなるフック手段（２６、３８）は、前記フック要素（２３）と協働するように構成される凹要素（２８）を備える、請求項２４に記載のキャップ手段。
【請求項２６】
前記凹要素（２８）は前記壁手段（２７）において得られ、請求項２４は請求項２乃至４のいずれか１項又は請求項２乃至４のいずれか１項に従属する請求項５乃至２３のいずれか１項に従属する、請求項２５に記載のキャップ手段。
【請求項２７】
前記開封インジケーション手段は、一対の不正開封防止バンド（１７）を備える、請求項１乃至２６のいずれか１項に記載のキャップ手段。
【請求項２８】
前記不正開封防止バンド（１７）は、前記蓋手段（３）のグリップゾーン（１２）の両側に構成される、請求項２７に記載のキャップ手段。
【請求項２９】
前記開封インジケーション手段は不正開封防止バンド（３７）を備える、請求項１乃至２６のいずれか１項に記載のキャップ手段。
【請求項３０】
前記不正開封防止バンド（７７）は、前記蓋手段（３）のグリップゾーン（１２）に構成される、請求項２９に記載のキャップ手段。
【請求項３１】
マウスピース表面手段（９、４３）をさらに備え、該マウスピース表面手段（９、４３）は、前記本体（２）の、前記分注手段（８）とは逆のゾーン（３９）から前記さらなるフック手段（２６、３８）よりも離れている、請求項１乃至３０のいずれか１項に記載のキャップ手段。
【請求項３２】
前記さらなるフック手段（２６、３８）は、前記本体（２）のキャビティ手段（４４）で受けられる、請求項１乃至３１のいずれか１項に記載のキャップ手段。
【請求項３３】
前記さらなるフック手段（２６、３８）は、前記キャビティ手段（４４）から前記マウスピース表面手段（４３）を越えて突出せずに、前記本体（２）から前記分注手段（８）に向かって延びるような形状である、請求項３１に従属する請求項３２に記載のキャップ手段。
【請求項３４】
容器ネックとの連結に適し、分注手段（８）が設けられた本体（２）と、前記分注手段（８）を閉じるように構成される蓋手段（３）と、破断可能手段（１８）を通して前記蓋手段（３）に接続され、前記本体（２）の対応するさらなるフック手段（２６、３８）に係合するように構成されるフック手段（２３）を備える開封インジケーション手段（１７、３７）と、を備えるキャップ手段であって、前記さらなるフック手段（２６、３８）が、前記フック手段（２３）を前記さらなるフック手段（２６、３８）と相互作用させるように構成される係合促進手段（３０）を備えることを特徴とする、キャップ手段。
【請求項３５】
前記さらなるフック手段（２６、３８）は、前記本体（２）に関連する壁手段（２７）を備える、請求項３４に記載のキャップ手段。
【請求項３６】
前記さらなるフック手段（２６、３８）は、前記本体（２）に関連し、前記壁手段（２７）に対して横方向に構成されるさらなる壁手段（３１）を備える、請求項３５に記載のキャップ手段。
【請求項３７】
前記さらなる壁手段は、前記壁手段（２７）の両端から出る壁（３１）を備える、請求項３５に従属する請求項３６に記載のキャップ手段。
【請求項３８】
前記係合促進手段は、前記フック手段（２３）が前記さらなるフック手段（２６、３８）と相互作用する意図される進行方向に対して傾斜した係合促進表面（３０）を備える、請求項３４乃至３７のいずれか１項に記載のキャップ手段。
【請求項３９】
前記係合促進表面（３０）は、前記分注手段（８）に向かって収束する、請求項３８に記載のキャップ手段。
【請求項４０】
前記係合促進表面（３０）は、前記壁手段（２７）の傾斜部分を画定し、請求項３８は請求項３５乃至３７のいずれか１項に従属する、請求項３８又は３９に記載のキャップ手段。
【請求項４１】
前記さらなるフック手段（２６、３８）は、該キャップ手段（１）が、前記蓋手段（３）が前記分注手段（８）に係合する閉位置（Ａ）にあるときに前記破断可能手段（１８）の状態を調べられるように構成される開口手段（３６）を備える、請求項３４乃至４０のいずれか１項に記載のキャップ手段。
【請求項４２】
前記開口手段（３６）は、前記壁手段（２７）において得られる複数の開口（３６）を備える、請求項３５乃至３７のいずれか１項又は請求項３５乃至３７のいずれか１項に従属する請求項３８乃至４０のいずれか１項に従属する請求項４１に記載のキャップ手段。
【請求項４３】
前記閉位置（Ａ）において、前記複数の開口（３６）の各開口（３６）は、前記破断可能手段が設けられる複数の破断可能要素の破断可能要素（１８）に構成される、請求項４２に記載のキャップ手段。
【請求項４４】
該キャップ手段（１）が、前記蓋手段（３）が前記分注手段（８）に係合する閉構成（Ａ）をとることができるように、前記蓋手段（３）を前記本体（２）に接続するヒンジ手段（１３）をさらに備える、請求項３４乃至４３のいずれか１項に記載のキャップ手段。
【請求項４５】
前記本体（２）には側壁（４）が設けられ、前記ヒンジ手段は、該キャップ手段（１）が前記閉構成（Ａ）であるときに前記側壁（４）を越えて前記本体（２）から突出しない、請求項４４に記載のキャップ手段。
【請求項４６】
前記ヒンジ手段（１３）は、前記本体（２）の周縁（３２）内に構成されるゾーン内に設けられる、請求項４５に記載のキャップ手段。
【請求項４７】
前記ヒンジ手段は、前記蓋手段（３）及び前記本体（２）が相互に回転する回転軸手段（Ｘ）を画定し、前記本体は、前記閉構成（Ａ）において前記蓋手段（３）の一端（１９）を受けるように構成される静止表面手段（９）を備え、前記回転軸手段（Ｘ）は前記静止表面手段（９）から離れている、請求項４４乃至４６のいずれか１項に記載のキャップ手段。
【請求項４８】
前記回転軸手段（Ｘ）は、前記側壁（４）の、前記静止表面手段（９）とは逆の側に構成される、請求項４５又は４６に従属する請求項４７に記載のキャップ手段。
【請求項４９】
前記回転軸手段（Ｘ）は、前記静止表面手段（９）に略平行して構成される、請求項４７又は４８に記載のキャップ手段。
【請求項５０】
前記ヒンジ手段（１３）は、前記回転軸手段（Ｘ）を画定する一対の接続要素（１４）を備える、請求項４７乃至４９のいずれか１項に記載のキャップ手段。
【請求項５１】
前記ヒンジ手段（１３）は、前記閉構成（Ａ）において、又は前記蓋手段（３）が前記分注手段（８）から係合解除される開構成（Ｂ）において該キャップ手段（１）を保持するように構成される弾性接続手段（１５）を備える、請求項４４乃至５０のいずれか１項に記載のキャップ手段。
【請求項５２】
前記弾性接続手段は、前記接続要素（１４）間に配置される弾性接続要素（１５）を備える、請求項５０に従属する請求項５１に記載のキャップ手段。
【請求項５３】
前記フック手段は、前記開封インジケーション手段（１７、３７）から突出するフック要素（２３）を備える、請求項３４乃至５２のいずれか１項に記載のキャップ手段。
【請求項５４】
前記さらなるフック手段（２６、３８）は、前記フック要素（２３）と協働するように構成される凹要素（２８）を備える、請求項５３に記載のキャップ手段。
【請求項５５】
前記凹要素（２８）は前記壁手段（２７）において得られ、請求項５３は請求項３５乃至３７のいずれか１項又は請求項３５乃至３７のいずれか１項に従属する請求項３８乃至５２のいずれか１項に従属する、請求項５４に記載のキャップ手段。
【請求項５６】
前記開封インジケーション手段は、一対の不正開封防止バンド（１７）を備える、請求項３４乃至５５のいずれか１項に記載のキャップ手段。
【請求項５７】
前記不正開封防止バンド（１７）は、前記蓋手段（３）のグリップゾーン（１２）の両側に構成される、請求項５６に記載のキャップ手段。
【請求項５８】
前記開封インジケーション手段は不正開封防止バンド（３７）を備える、請求項３４乃至５５のいずれか１項に記載のキャップ手段。
【請求項５９】
前記不正開封防止バンド（７７）は、前記蓋手段（３）のグリップゾーン（１２）に構成される、請求項５８に記載のキャップ手段。
【請求項６０】
マウスピース表面手段（９、４３）をさらに備え、該マウスピース表面手段（９、４３）は、前記本体（２）の、前記分注手段（８）とは逆のゾーン（３９）から前記さらなるフック手段（２６、３８）よりも離れている、請求項３４乃至５９のいずれか１項に記載のキャップ手段。
【請求項６１】
前記さらなるフック手段（２６、３８）は、前記本体（２）のキャビティ手段（４４）で受けられる、請求項３４乃至６０のいずれか１項に記載のキャップ手段。
【請求項６２】
前記さらなるフック手段（２６、３８）は、前記キャビティ手段（４４）から前記マウスピース表面手段（４３）を越えて突出せずに、前記本体（２）から前記分注手段（８）に向かって延びるような形状である、請求項６０に従属する請求項６１に記載のキャップ手段。
【請求項６３】
容器ネックとの連結に適し、分注手段（８）が設けられた本体（２）と、蓋手段（３）、該蓋手段（３）は該蓋手段（３）が前記分注手段（８）に係合する閉構成（Ａ）と該蓋手段（３）が前記分注手段（８）から係合解除される開構成（Ｂ）との間を移動可能である蓋手段（３）と、破断可能手段（１８）を通して前記蓋手段（３）に接続され、前記本体（２）の対応するさらなるフック手段（２６、３８）に係合するように構成されるフック手段（２３）を備える開封インジケーション手段（１７、３７）と、を備えるキャップ手段であって、前記さらなるフック手段（２６、３８）が、前記蓋手段（３）が前記閉構成（Ａ）であるときに前記破断可能手段（１８）の状態を調べられるようにするように構成される開口手段（３６）を備えることを特徴とする、キャップ手段。
【請求項６４】
前記さらなるフック手段（２６、３８）は、前記本体（２）に関連する壁手段（２７）を備える、請求項６３に記載のキャップ手段。
【請求項６５】
前記さらなるフック手段（２６、３８）は、前記本体（２）に関連し、前記壁手段（２７）に対して横方向に構成されるさらなる壁手段（３１）を備える、請求項６４に記載のキャップ手段。
【請求項６６】
前記さらなる壁手段は、前記壁手段（２７）の両端から出る壁（３１）を備える、請求項６４に従属する請求項６５に記載のキャップ手段。
【請求項６７】
前記開口手段（３６）は、前記壁手段（２７）において得られる複数の開口（３６）を備える、請求項６４乃至６６のいずれか１項に記載のキャップ手段。
【請求項６８】
前記閉構成（Ａ）において、前記複数の開口（３６）の各開口（３６）は、前記破断可能手段が設けられる複数の破断可能要素の破断可能要素（１８）に構成される、請求項６７に記載のキャップ手段。
【請求項６９】
前記蓋手段（３）が閉構成（Ａ）をとることができるように前記蓋手段（３）を前記本体（２）に接続するヒンジ手段（１３）をさらに備える、請求項６３乃至６８のいずれか１項に記載のキャップ手段。
【請求項７０】
前記本体（２）には側壁（４）が設けられ、前記ヒンジ手段は、前記蓋手段（３）が前記閉構成（Ａ）であるときに前記側壁（４）を越えて前記本体（２）から突出しない、請求項６９に記載のキャップ手段。
【請求項７１】
前記ヒンジ手段（１３）は、前記本体（２）の周縁（３２）内に構成されるゾーン内に設けられる、請求項７０に記載のキャップ手段。
【請求項７２】
前記ヒンジ手段は、前記蓋手段（３）及び前記本体（２）が相互に回転する回転軸手段（Ｘ）を画定し、前記本体は、前記閉構成（Ａ）において前記蓋手段（３）の一端（１９）を受けるように構成される静止表面手段（９）を備え、前記回転軸手段（Ｘ）は前記静止表面手段（９）から離れている、請求項６９乃至７１のいずれか１項に記載のキャップ手段。
【請求項７３】
前記回転軸手段（Ｘ）は、前記側壁（４）の、前記静止表面手段（９）とは逆の側に構成される、請求項７０又は７１に従属する請求項７２に記載のキャップ手段。
【請求項７４】
前記回転軸手段（Ｘ）は、前記静止表面手段（９）に略平行して構成される、請求項７２又は７３に記載のキャップ手段。
【請求項７５】
前記ヒンジ手段（１３）は、前記回転軸手段（Ｘ）を画定する一対の接続要素（１４）を備える、請求項７２乃至７４のいずれか１項に記載のキャップ手段。
【請求項７６】
前記ヒンジ手段（１３）は、前記閉構成（Ａ）又は前記開構成（Ｂ）において前記蓋手段（３）を保持するように構成される弾性接続手段（１５）を備える、請求項６９乃至７５のいずれか１項に記載のキャップ手段。
【請求項７７】
前記弾性接続手段は、前記接続要素（１４）間に配置される弾性接続要素（１５）を備える、請求項７５に従属する請求項７６に記載のキャップ手段。
【請求項７８】
前記フック手段は、前記開封インジケーション手段（１７、３７）から突出するフック要素（２３）を備える、請求項６３乃至７７のいずれか１項に記載のキャップ手段。
【請求項７９】
前記さらなるフック手段（２６、３８）は、前記フック要素（２３）と協働するように構成される凹要素（２８）を備える、請求項７８に記載のキャップ手段。
【請求項８０】
前記凹要素（２８）は前記壁手段（２７）において得られ、請求項７８は、請求項６４乃至６８のいずれか１項又は請求項６４乃至６８のいずれか１項に従属する請求項６９乃至７７のいずれか１項に従属する、請求項７９に記載のキャップ手段。
【請求項８１】
前記開封インジケーション手段は、一対の不正開封防止バンド（１７）を備える、請求項６３乃至８０のいずれか１項に記載のキャップ手段。
【請求項８２】
前記不正開封防止バンド（１７）は、前記蓋手段（３）のグリップゾーン（１２）の両側に構成される、請求項８１に記載のキャップ手段。
【請求項８３】
前記開封インジケーション手段は不正開封防止バンド（３７）を備える、請求項６３乃至８０のいずれか１項に記載のキャップ手段。
【請求項８４】
前記不正開封防止バンド（７７）は、前記蓋手段（３）のグリップゾーン（１２）に構成される、請求項８３に記載のキャップ手段。
【請求項８５】
マウスピース表面手段（９、４３）をさらに備え、該マウスピース表面手段（９、４３）は、前記本体（２）の、前記分注手段（８）とは逆のゾーン（３９）から前記さらなるフック手段（２６、３８）よりも離れている、請求項６３乃至８４のいずれか１項に記載のキャップ手段。
【請求項８６】
前記さらなるフック手段（２６、３８）は、前記本体（２）のキャビティ手段（４４）で受けられる、請求項６３乃至８５のいずれか１項に記載のキャップ手段。
【請求項８７】
前記さらなるフック手段（２６、３８）は、前記キャビティ手段（４４）から前記マウスピース表面手段（４３）を越えて突出せずに、前記本体（２）から前記分注手段（８）に向かって延びるような形状である、請求項８５に従属する請求項８６に記載のキャップ手段。
【請求項８８】
容器ネックとの連結に適し、分注手段（８）が設けられた本体（２）と、蓋手段（３）、該蓋手段（３）は該蓋手段（３）が前記分注手段（８）に係合する閉構成（Ａ）と該蓋手段（３）が前記分注手段（８）から係合解除される開構成（Ｂ）との間を移動可能である蓋手段（３）と、該蓋手段（３）を前記本体（２）に接続するヒンジ手段（１３）と、を備え、前記本体（２）に側壁（４）が設けられる、キャップ手段であって、前記ヒンジ手段（１３）が、前記閉構成（Ａ）において、前記本体（２）から前記側壁（４）を越えて突出しないことを特徴とする、キャップ手段。
【請求項８９】
前記さらなるフック手段（２６、３８）は、前記本体（２）に関連する壁手段（２７）を備える、請求項８８に記載のキャップ手段。
【請求項９０】
前記さらなるフック手段（２６、３８）は、前記本体（２）に関連し、前記壁手段（２７）に対して横方向に構成されるさらなる壁手段（３１）を備える、請求項８９に記載のキャップ手段。
【請求項９１】
前記さらなる壁手段は、前記壁手段（２７）の両端から出る壁（３１）を備える、請求項８９に従属する請求項９０に記載のキャップ手段。
【請求項９２】
前記ヒンジ手段（１３）は、前記本体（２）の周縁（３２）内に構成されるゾーン内に設けられる、請求項８８乃至９１のいずれか１項に記載のキャップ手段。
【請求項９３】
前記ヒンジ手段は、前記蓋手段（３）及び前記本体（２）が相互に回転する回転軸手段（Ｘ）を画定し、前記本体は、前記閉構成（Ａ）において前記蓋手段（３）の一端（１９）を受けるように構成される静止表面手段（９）を備え、前記回転軸手段（Ｘ）は前記静止表面手段（９）から離れている、請求項８８乃至９２のいずれか１項に記載のキャップ手段。
【請求項９４】
前記回転軸手段（Ｘ）は、前記側壁（４）の、前記静止表面手段（９）とは逆の側に構成される、請求項９３に記載のキャップ手段。
【請求項９５】
前記回転軸手段（Ｘ）は、前記静止表面手段（９）に略平行して構成される、請求項９３又は９４に記載のキャップ手段。
【請求項９６】
前記ヒンジ手段（１３）は、前記回転軸手段（Ｘ）を画定する一対の接続要素（１４）を備える、請求項９３乃至９５のいずれか１項に記載のキャップ手段。
【請求項９７】
前記ヒンジ手段（１３）は、前記閉構成（Ａ）又は前記開構成（Ｂ）において前記蓋手段（３）を保持するように構成される弾性接続手段（１５）を備える、請求項８８乃至９６のいずれか１項に記載のキャップ手段。
【請求項９８】
前記弾性接続手段は、前記接続要素（１４）間に配置される弾性接続要素（１５）を備える、請求項９６に従属する請求項９７に記載のキャップ手段。
【請求項９９】
前記フック手段は、前記開封インジケーション手段（１７、３７）から突出するフック要素（２３）を備える、請求項８８乃至９８のいずれか１項に記載のキャップ手段。
【請求項１００】
前記さらなるフック手段（２６、３８）は、前記フック要素（２３）と協働するように構成される凹要素（２８）を備える、請求項９９に記載のキャップ手段。
【請求項１０１】
前記凹要素（２８）は前記壁手段（２７）において得られ、請求項９９は、請求項８９乃至９１のいずれか１項又は請求項８９乃至９１のいずれか１項に従属する請求項９２乃至９８のいずれか１項に従属する、請求項１００に記載のキャップ手段。
【請求項１０２】
前記開封インジケーション手段は、一対の不正開封防止バンド（１７）を備える、請求項８８乃至１０１のいずれか１項に記載のキャップ手段。
【請求項１０３】
前記不正開封防止バンド（１７）は、前記蓋手段（３）のグリップゾーン（１２）の両側に構成される、請求項１０２に記載のキャップ手段。
【請求項１０４】
前記開封インジケーション手段は不正開封防止バンド（３７）を備える、請求項８８乃至１０１のいずれか１項に記載のキャップ手段。
【請求項１０５】
前記不正開封防止バンド（７７）は、前記蓋手段（３）のグリップゾーン（１２）に構成される、請求項１０４に記載のキャップ手段。
【請求項１０６】
マウスピース表面手段（９、４３）をさらに備え、該マウスピース表面手段（９、４３）は、前記本体（２）の、前記分注手段（８）とは逆のゾーン（３９）から前記さらなるフック手段（２６、３８）よりも離れている、請求項８８乃至１０５のいずれか１項に記載のキャップ手段。
【請求項１０７】
前記さらなるフック手段（２６、３８）は、前記本体（２）のキャビティ手段（４４）で受けられる、請求項８８乃至１０５のいずれか１項に記載のキャップ手段。
【請求項１０８】
前記さらなるフック手段（２６、３８）は、前記キャビティ手段（４４）から前記マウスピース表面手段（４３）を越えて突出せずに、前記本体（２）から前記分注手段（８）に向かって延びるような形状である、請求項１０６に従属する請求項１０７に記載のキャップ手段。
【請求項１０９】
容器ネックとの連結に適し、分注手段（８）が設けられた本体（２）と、蓋手段（３）、該蓋手段（３）は該蓋手段（３）が前記分注手段（８）に係合する閉構成（Ａ）と該蓋手段（３）が前記分注手段（８）から係合解除される開構成（Ｂ）との間を移動可能である蓋手段（３）と、該蓋手段（３）を前記本体（２）に接続するヒンジ手段（１３）と、を備え、該ヒンジ手段（１３）は、前記蓋手段（３）及び前記本体（２）が相互に回転する回転軸手段（Ｘ）を画定し、前記本体（２）は、前記閉構成（Ａ）において、前記蓋手段（３）の一端を受けるように構成される静止表面手段（９）を備える、キャップ手段であって、前記回転軸手段（Ｘ）が前記静止表面手段（９）から離れていることを特徴とする、キャップ手段。
【請求項１１０】
前記さらなるフック手段（２６、３８）は、前記本体（２）に関連する壁手段（２７）を備える、請求項１０９に記載のキャップ手段。
【請求項１１１】
前記さらなるフック手段（２６、３８）は、前記本体（２）に関連し、前記壁手段（２７）に対して横方向に構成されるさらなる壁手段（３１）を備える、請求項１１０に記載のキャップ手段。
【請求項１１２】
前記さらなる壁手段は、前記壁手段（２７）の両端から出る壁（３１）を備える、請求項１１１に記載のキャップ手段。
【請求項１１３】
前記回転軸手段（Ｘ）は、前記本体（２）の前記側壁（４）の、前記静止表面手段（９）とは逆の側に構成される、請求項１０９乃至１１２のいずれか１項に記載のキャップ手段。
【請求項１１４】
前記回転軸手段（Ｘ）は、前記静止表面手段（９）に略平行して構成される、請求項１０９乃至１１３のいずれか１項に記載のキャップ手段。
【請求項１１５】
前記ヒンジ手段（１３）は、前記回転軸手段（Ｘ）を画定する一対の接続要素（１４）を備える、請求項１０９乃至１１４のいずれか１項に記載のキャップ手段。
【請求項１１６】
前記ヒンジ手段（１３）は、前記閉構成（Ａ）又は前記開構成（Ｂ）において前記蓋手段（３）を保持するように構成される弾性接続手段（１５）を備える、請求項１０９乃至１１５のいずれか１項に記載のキャップ手段。
【請求項１１７】
前記弾性接続手段は、前記接続要素（１４）間に配置される弾性接続要素（１５）を備える、請求項１１５に従属する請求項１１６に記載のキャップ手段。
【請求項１１８】
前記フック手段は、前記開封インジケーション手段（１７、３７）から突出するフック要素（２３）を備える、請求項１０９乃至１１７のいずれか１項に記載のキャップ手段。
【請求項１１９】
前記さらなるフック手段（２６、３８）は、前記フック要素（２３）と協働するように構成される凹要素（２８）を備える、請求項１１８に記載のキャップ手段。
【請求項１２０】
前記凹要素（２８）は前記壁手段（２７）において得られ、請求項１１８は請求項１１０乃至１１２のいずれか１項又は請求項１１０乃至１１２のいずれか１項に従属する請求項１１３乃至１１７のいずれか１項に従属する、請求項１１９に記載のキャップ手段。
【請求項１２１】
前記開封インジケーション手段は、一対の不正開封防止バンド（１７）を備える、請求項１０９乃至１２０のいずれか１項に記載のキャップ手段。
【請求項１２２】
前記不正開封防止バンド（１７）は、前記蓋手段（３）のグリップゾーン（１２）の両側に構成される、請求項１２１に記載のキャップ手段。
【請求項１２３】
前記開封インジケーション手段は不正開封防止バンド（３７）を備える、請求項１０９乃至１２０のいずれか１項に記載のキャップ手段。
【請求項１２４】
前記不正開封防止バンド（７７）は、前記蓋手段（３）のグリップゾーン（１２）に構成される、請求項１２３に記載のキャップ手段。
【請求項１２５】
マウスピース表面手段（９、４３）をさらに備え、該マウスピース表面手段（９、４３）は、前記本体（２）の、前記分注手段（８）とは逆のゾーン（３９）から前記さらなるフック手段（２６、３８）よりも離れている、請求項１０９乃至１２４のいずれか１項に記載のキャップ手段。
【請求項１２６】
前記さらなるフック手段（２６、３８）は、前記本体（２）のキャビティ手段（４４）で受けられる、請求項１０９乃至１２４のいずれか１項記載のキャップ手段。
【請求項１２７】
前記さらなるフック手段（２６、３８）は、前記キャビティ手段（４４）から前記マウスピース表面手段（４３）を越えて突出せずに、前記本体（２）から前記分注手段（８）に向かって延びるような形状である、請求項１２５に従属する請求項１２６に記載のキャップ手段。
【発明の詳細な説明】
【技術分野】
【０００１】
本発明は、容器に関連するキャップ手段に関し、特に、押し上げ式のキャップ手段に関する。
【背景技術】
【０００２】
プラスチック製であり、ネジ切りされた結合部により容器ネックに固定されるように構成され、容器内に収容された製品を分注することができる分注穴が設けられた本体を備える押し上げ式キャップが既知である。上記キャップは、閉鎖部が本体に隣接して分注穴を閉じる閉構成と、閉鎖部が本体から離れて、製品を分注穴から取り出すことができる開構成との間で可動の閉鎖部をさらに備える。閉鎖部は、非常に大型であり得るヒンジを通して本体に接続される。ヒンジは、本体の周端ゾーンで得られ、本体及び閉鎖部が上記閉構成において相互に接触する静止平面上に位置決めされる。
【０００３】
本体は側面及び端面を備え、端面から、分注穴が得られる突出要素が突き出る。突出要素は、使用者の口を受けるような形状を有する。
【０００４】
閉鎖部から、分注穴で受けられるように構成される保持部材が突出する。
【０００５】
上記において開示されたキャップは、破断可能ブリッジ要素を通して閉鎖部に固定される不正開封防止バンドを備える。
【０００６】
不正開封バンドには、本体において得られる第２のロック要素と係合する第1のロック要素が設けられる。閉鎖部がヒンジを中心として回転すると、応力が生成され、この応力がブリッジ要素を破断して、不正開封バンドを閉鎖部から分離する。不正開封防止バンドが閉鎖部から分離されたか否か（及び破断可能ブリッジ要素が破断されていたか否か）を調べる使用者に、容器内部に収容される製品の不正開封されていない状態又は製品が不正開封された可能性が知らされる。
【０００７】
既知のキャップの欠点は、キャップが容器ネックに連結されているため、第１のロック要素を第２のロック要素に係合できるようにするために相当な力を加える必要があることである。これにより、ブリッジ要素に、ダメージが加えられるか、又はさらには破断するようなポイントまで応力が加えられる恐れがある。この欠点を解消するために、より高強度のブリッジ要素、すなわち、より大きな寸法を有するブリッジ要素を使用することができる。それにもかかわらず、これらのより高強度のブリッジ要素は、キャップを最初に開けている間により破断しにくく、これは使用者にとって非常に不快である。
【０００８】
上記において開示されたキャップが形成される際、閉鎖部は開構成にある。
【０００９】
続けて、キャップが容器ネックに連結される前、閉鎖部は、閉構成をとるまで回転される。
【００１０】
既知のキャップの別の欠点は、閉鎖部が開構成から閉構成に移動する際に、保持部材が分注穴に位置合わせされず、突出要素を邪魔し、キャップを閉じるのを難しくさせる可能性があることである。
【００１１】
さらに、ロック要素がさらなるロック要素に位置合わせされず、キャップを閉じるのをさらにまた難しくする可能性がある。
【００１２】
既知のキャップのさらなる欠点は、ロック要素及び／又はさらなるロック要素が破断可能ブリッジ要素を隠し、使用者が破断可能ブリッジ要素が破断されているか否かを調べることを非常に難しくし、又はさらには不可能にさえすることである。
【００１３】
既知のキャップのさらなる欠点は、従来のキャップ装置は、非常に大きな全体寸法を有するヒンジを有するキャップを扱うことができないツールを備えるため、専用のキャップ装置を通してしか容器ネックに適用することができないことである。
【発明の開示】
【発明が解決しようとする課題】
【００１４】
本発明の目的は、既知のキャップの改良である。
【００１５】
本発明の別の目的は、最初に閉じられる際に、不正開封防止バンドに関連するロック要素とキャップ手段の一部に関連する協働要素とを相互係合させるために大きな力を必要としないキャップ手段を得ることである。
【００１６】
さらなる目的は、キャップ手段が最初に閉じられる際に破断せず、キャップ手段を最初に開く際に容易に破断することができる破断可能ブリッジ要素が設けられたキャップ手段を得ることである。
【００１７】
さらなる目的は、使用者が、破断可能ブリッジ要素が破られていないか、それとも破られているかを容易且つ素早く調べることができるキャップ手段を得ることである。
【００１８】
さらなる目的は、通常のキャップ装置を通して容器ネックに適用することができるキャップ手段を得ることである。
【００１９】
本発明のさらなる目的は、閉鎖部が本体上に静止するように配置される際、すなわち、キャップ手段が最初に閉じられる際、キャップ手段の閉鎖部において得られる保持部材が、キャップ手段の本体から突出し、分注穴が設けられた突出要素を邪魔する危険性が制限されるキャップ手段を得ることである。
【課題を解決するための手段】
【００２０】
本発明の第１の態様では、容器ネックとの連結に適し、分注手段が設けられた本体と、上記分注手段を閉じるように構成される蓋手段と、破断可能手段を通して上記蓋手段に接続され、上記本体の対応するさらなるフック手段に係合するように構成されるフック手段を備える開封インジケーション手段と、を備えるキャップ手段であって、上記さらなるフック手段と共に、上記フック手段が上記さらなるフック手段と相互作用する際に、上記開封インジケーション手段の変形を制限するように構成される関連するガイド手段があることを特徴とする、キャップ手段が提供される。
【００２１】
本発明のこの態様により、キャップ手段を最初に閉じる間に破断可能手段がダメージを受けず、又は破断されないキャップ手段を得ることが可能である。
【００２２】
一実施形態では、フック手段が、キャップ手段の大きな不可侵性を保証するような形状である。
【００２３】
さらなる一実施形態では、フック手段が、使用者の口にとって不快ではないように位置決めされる。
【００２４】
本発明の第２の態様では、容器ネックとの連結に適し、分注手段が設けられた本体と、上記分注手段を閉じるように構成される蓋手段と、破断可能手段を通して上記蓋手段に接続され、上記本体の対応するさらなるフック手段に係合するように構成されるフック手段を備える開封インジケーション手段と、を備えるキャップ手段であって、上記さらなるフック手段が、上記フック手段を上記さらなるフック手段と相互作用させるように構成される係合促進手段を備えることを特徴とする、キャップ手段が提供される。
【００２５】
本発明のこの態様により、キャップ手段を最初に閉じる間に互いに容易に係合するフック手段及びさらなるフック手段を有するキャップ手段を得ることが可能である。特に、蓋手段が最初に本体と連結する際、フック要素をさらなるフック要素に係合させるために大きな力が必要ない。その結果、キャップ手段が最初に開かれる際に容易に破壊することができる、破断可能手段の有する断面積を程度の限られたものにすることが可能である。
【００２６】
さらに、破断可能手段は、キャップ手段を開いている間に、使用者が握るための蓋手段のゾーンから離れるほど大きな断面を有する複数のブリッジ要素を備えることができる。
【００２７】
このようにして、キャップ手段の漸進的な、ひいては容易な開封を得ることが可能である。
【００２８】
本発明の第３の態様では、容器ネックとの連結に適し、分注手段が設けられた本体と、蓋手段、該蓋手段は該蓋手段が上記分注手段と係合する閉構成と該蓋手段が上記分注手段から係合解除される開構成との間で可動である蓋手段と、破断可能手段を通して上記蓋手段に接続され、上記本体の対応するさらなるフック手段に係合するように構成されるフック手段を備える開封インジケーション手段と、を備えるキャップ手段であって、上記さらなるフック手段が、上記蓋手段が上記閉構成にあるときに、上記破断可能手段の状態を調べられるようにするように構成される開封手段を備えることを特徴とする、キャップ手段が提供される。
【００２９】
本発明のこの態様により、使用者が容易に素早く破断可能手段が破断しているか否か、ひいてはキャップ手段が不正開封されたか否かを調べることができるキャップ手段を得ることが可能である。
【００３０】
本発明の第４の態様では、容器ネックとの連結に適し、分注手段が設けられた本体と、蓋手段、該蓋手段は該蓋手段が上記分注手段と係合する閉構成と該蓋手段が上記分注手段から係合解除される開構成との間で可動である蓋手段と、該蓋手段を上記本体に接続するヒンジ手段と、を備え、上記本体には側壁が設けられる、キャップ手段であって、上記ヒンジ手段が、上記閉構成において、上記本体から上記側壁を越えて突出しないことを特徴とする、キャップ手段が提供される。
【００３１】
本発明のこの態様によれば、通常のキャップ装置を通して容器ネックに適用可能なような形状のキャップ手段を得ることが可能である。
【００３２】
特に、キャップ手段は、キャップ手段の縦軸から離れて側壁から突出するヒンジ部分がなく、そのため、円錐形状のヘッドが設けられ、側壁を囲むように構成されるキャップ装置により適用することができる。
【００３３】
本発明のこの態様により、複雑な移動装置が設けられた複雑でコストのかかる特別なヘッドを使用する必要がない。
【００３４】
本発明の第５の態様では、容器ネックとの連結に適し、分注手段が設けられた本体と、蓋手段、該蓋手段は該蓋手段が上記分注手段と係合する閉構成と該蓋手段が上記分注手段から係合解除される開構成との間で可動である蓋手段と、該蓋手段を上記本体に接続するヒンジ手段と、を備え、該ヒンジ手段は、上記蓋手段及び上記本体を相互に回転させる回転軸手段を画定し、上記本体は、上記閉構成において上記蓋手段の一端を受けるように構成される静止表面手段を備える、キャップ手段であって、上記回転軸手段が上記静止表面手段から離れていることを特徴とする、キャップ手段が提供される。
【００３５】
本発明のこの態様により、キャップ手段が最初に閉じられる際に、蓋手段から延出するパーツと本体から延出するさらなるパーツとの起こり得る衝突を制限するように、蓋手段を静止表面手段付近に持って行くことが可能なキャップ手段を得ることが可能である。
【００３６】
さらに、キャップ手段を最初に閉じる間に、蓋手段と分注手段とをより高精度で位置合わせすることが可能である。
【００３７】
図１〜図５は、容器のネックに連結する本体２及び本体２に対して揺動可能な蓋要素３を備えるキャップ手段１を示す。
【００３８】
キャップ手段は、例えば、プラスチックの圧縮形成を通して、又はプラスチックの射出成形を通して作ることができる。
【００３９】
本体２の内部にはネジ切り５（図５に示される）が設けられ、それにより、本体２をネックに回して締めることができる。
【００４０】
本体２は側壁４を備え、側壁４の上部は、側壁４を横切って延在する端壁６に接合され、端壁６に、容器内部に収容される製品を分注することができる分注部分８が設けられる。
【００４１】
端壁６は静止表面９を画定し、蓋要素３が静止表面９に当接して分注部分８を閉じる。
【００４２】
蓋要素３はさらなる側壁７を備え、さらなる側壁７の上部は、さらなる側壁７を横切って構成される閉鎖壁１１に接合される。
【００４３】
閉鎖壁１１から、蓋要素３が静止表面９のより近くに来たときに、分注部分８を囲む閉鎖部分１０が閉鎖壁１１を横切って突出する。
【００４４】
閉鎖壁１１から、蓋手段３が静止表面９付近に来たときに、分注部分８内で得られる穴４２内を貫通する突出要素４１がさらに突出する。
【００４５】
閉鎖壁１１には、容器を開けている間、使用者の親指を受けるグリップ要素１２が設けられる。
【００４６】
蓋要素３は、互いに離れた２つの接続要素１４及び接続要素１４間に配置される弾性接続要素１５を備えるヒンジ１３により本体２に接続される。
【００４７】
ヒンジ１３は、蓋要素３を、閉鎖部分１０が分注部分８に係合する閉構成Ａ（図１に示される）と、閉鎖部分１０が分注部分８から離れた開構成Ｂ（図２に示される）との間で移動できるようにする。
【００４８】
ヒンジ１３は端壁６の周縁において得られ、閉構成Ａにおいて、側壁４の外周３２により接合された領域内に位置決めされるような形状である。
【００４９】
換言すれば、ヒンジ１３は側壁４よりも分注部分８に近く、側壁４を越えて突出しない。
【００５０】
このようにして、従来のキャップヘッドを通して、キャップ手段１を容器ネックに適用することができる。
【００５１】
接続要素１４は、蓋要素３が回転する回転軸Ｘ（図２に示される）を画定する。
【００５２】
回転軸Ｘは、静止表面９から距離Ｄのところに位置決めされる。
【００５３】
回転軸Ｘの位置は、蓋要素３が開構成Ｂから閉構成Ａに回転したときに、閉鎖部分１０、突出要素４１、及び分注部分８を、それぞれが互いに最初に相互作用する瞬間に、限られた幅の角度だけ相互に傾斜させることができる。
【００５４】
特に、上記幅は、既知のキャップで発生するように、回転軸Ｘが静止平面９上にあるときよりも小さい。
【００５５】
このようにして、蓋要素３が閉構成Ａをとるのを邪魔し得る、閉鎖壁１１及び／又は突出要素４１と分注部分８とが衝突する危険性及び相互位置決め欠点が制限される。
【００５６】
特に、突出要素４１は穴４２に向けてガイドされ、穴４２が接合された壁と衝突することなく穴４２を貫通する。
【００５７】
弾性接続要素１５は、蓋要素３を閉構成Ａにおいて静止表面９付近に保持できるようにするとともに、蓋要素３を開構成Ｂにおいて静止表面９から離れて保持できるようにする戻りバネとして機能する。
【００５８】
蓋要素３には、使用者がキャップ手段１が不正開封されたか否かを調べられるようにする開封インジケーション手段１６が設けられる。
【００５９】
開封インジケーション手段１６は、キャップ手段１が最初に開封される前は、ブリッジ要素１８を通してさらなる側壁７に接続されている２つの不正開封防止バンド１７を備える。
【００６０】
不正開封防止バンド１７は、さらなる側壁１７の部分を画定する。
【００６１】
不正開封防止バンド１７は、グリップ要素１２に対して蓋要素３の反対側に位置決めされ、グリップ要素１２とヒンジ１３との間に含まれるゾーンに構成される。
【００６２】
示されていない一実施形態では、グリップ要素１２とヒンジ１３との間に構成された１つのみの不正開封防止バンド１７を設けることが可能である。
【００６３】
各不正開封防止バンド１７は、蓋要素３の外側に面する第１の表面２０及び蓋要素３の内側に面する第２の表面２１を備える。第１の表面２０と第２の表面２１との間に、蓋要素３が閉構成Ａのときに静止表面９で受けられるように構成されるエッジ表面１９が延在する。
【００６４】
各不正開封防止バンド１７の周縁は、さらなる側壁７から各不正開封防止バンド１７を横方向に分離する開封ゾーン２２に接合する。
【００６５】
各不正開封防止バンド１７には、第１の表面２０から横方向に突出する、互いに離れた２つの楔形フック要素２３が設けられる。
【００６６】
フック要素２３は、蓋要素が閉構成Ｂであるとき、静止表面９から離れていくにつれて漸進的に増大する断面積を有するような形状である。各フック要素２３には、第１の表面２０に対して傾斜し、エッジ表面１９と反対側の端部でロック表面２５（図５によりよく示される）に接続される第３の表面２４が設けられる。
【００６７】
開封インジケーション手段１６は、本体２に連結され、キャップ手段１が最初に閉じられる際に、不正開封防止バンド１７を受けるように分注部分８の両側に構成された２つのロック部分２６を備える。
【００６８】
各ロック部分２６は、側壁４に略平行する静止表面９の外周ゾーンから突出する第１の壁２７を備える。第１の壁２７において、略矩形の形状を有するフック穴２８が得られ、各フック穴２８は、キャップ手段１が最初に閉じられる際に、対応するフック要素２３を受けるように構成される。各フック穴２８は、静止表面２９に略平行に構成され、ロック表面２５と協働して、キャップ手段１が最初に開かれる際に、対応するフック要素２３ひいては不正開封防止バンド１７がロック部分２６から係合解除されないようにするさらなるロック表面２９に接合する。
【００６９】
各ロック部分２６には、分注部分５に面するように第１の壁２７において得られ、キャップ手段が最初に閉じられる際にフック要素２３と相互作用するように構成される係合促進表面３０が設けられる。係合促進表面３０は、各フック要素２３を対応するフック穴２８にガイドするように静止表面９に対して傾斜する。
【００７０】
係合促進表面３０は、蓋要素３が本体２付近に持って来られる際の意図される進行方向に対して傾斜する。
【００７１】
各第１の壁２７の両端に、周縁３２に対して横方向に構成されるように、壁２７から静止表面９のより内部のゾーンに突出する第２の壁３１が設けられる。不正開封防止バンド１７はいくつかの側面上で囲まれ、ひいては不正開封の危険性を制限するようにさらに保護されるため、第２の壁３１は、開封インジケーション手段１６をより安全に、且つより信頼的にする。
【００７２】
ロック部分２６は、キャップ手段１が最初に閉じられる際に、不正開封防止バンド１７をガイドするように構成されるガイド手段３４を備える。ガイド手段３４は静止表面９から突出し、第１の壁２７よりも周縁３２から離れ、第１の壁２７に面する。ガイド手段３４は、第２の壁３１に接続された一対の端部ガイド要素３３及び２つの端部ガイド要素３３間に配置される中間ガイド要素３５を備える。
【００７３】
示されていない一実施形態では、複数の中間ガイド要素を設けることができる。
【００７４】
示されていないさらなる実施形態では、端部ガイド要素は第２の壁３１に接続されなくてよい。
【００７５】
端部ガイド要素３３及び中間ガイド要素３５は、不正開封防止バンド１７の第２の表面２１と相互作用するように位置決めされる。
【００７６】
さらに、端部ガイド要素３３及び中間ガイド要素３５が、ブリッジ要素１８に構成される。
【００７７】
キャップ手段１が最初に閉じられる際に、不正開封防止バンド１７が静止表面９に向かって押されて、対応するロック部分２６に係合する。フック要素２３は、係合促進表面３０により、対応するフック穴２８を占めるように促される。
【００７８】
第３の表面２４が第１の壁２７と相互作用すると、ブリッジ要素１８が変形する。過度の変形はブリッジ要素１８を破断させ、ひいては開封インジケータ装置として無効にさせる恐れがある。
【００７９】
ブリッジ要素１８が過度に変形されるのを防ぐために、ガイド手段３４は、ブリッジ要素１８での不正開封防止バンド１７の撓みを制限し、ブリッジ要素１８が時期尚早に破断されないようにする。
【００８０】
さらに、ガイド要素３４は不正開封の危険性を低減する。ガイド手段は、実際に、フック要素が分注部分８に向かって、すなわち、キャップ手段１の内側に押されて、各フック穴２８から係合解除されないようにする。
【００８１】
各ロック部分２６の静止表面９からより離れたゾーンにおいて、検査開口３６が得られ、検査開口３６は、蓋要素が閉構成Ａであるときに、使用者がブリッジ要素１８を検査してブリッジ要素１８が破断していないことを調べられるようにする。
【００８２】
キャップ手段１が最初に開かれる際に、使用者は、蓋要素３を静止表面９から取り外すようにグリップ要素１２に対して行動する。ロック部分２６は、不正開封防止バンド１７が蓋要素３と共に移動しないようにする。これは、ブリッジ要素１８を破断する応力を生み出す。
【００８３】
フック要素はフック穴２８と相互作用して、不正開封防止バンド１７が本体２に保持され、環境にまき散らされない。
【００８４】
不正開封防止バンド１７は、第１の壁２７（及び第１の壁２７に設けられるフック穴２８）、ガイド手段３４、及び恐らく第２の壁３１により画定される迷路構造又はカーゴ構造によっても本体２に保持される。
【００８５】
上述した迷路構造又はカーゴ構造は、大きな不可侵性を有するキャップ手段１を得られるようにする。不正開封防止バンド１７及びロック部分２６は、グリップ要素１２よりも回転軸Ｘに近い。
【００８６】
ヒンジ１３からのグリップ要素１２の距離が、ヒンジ１３からの各ブリッジ要素１８の距離よりも大きくなると、ひいては、使用者がグリップ要素１２に及ぼす開封促進力が、開封に抵抗する、ブリッジ要素１８により生み出される力の腕よりも大きな腕を有する。
【００８７】
その結果、使用者はキャップ手段１を容易に開くことができ、ブリッジ要素１８及び蓋要素３上のグリップ要素１２の特定の構成により画定される、使用者に好都合なレバーを利用することもできる。
【００８８】
さらに、各不正開封防止バンド１７のブリッジ要素１８が、回転軸Ｘから異なる距離の箇所に構成され、キャップ手段が最初に開かれる際に、回転軸Ｘからの距離が長いほど大きな変形を受けるため、キャップ手段をかなり都合よく開くことができるようにブリッジ要素１８を順次破断することが可能である。
【００８９】
示されていない一実施形態では、グリップ要素１２付近に構成されるブリッジ要素１８は、ヒンジ３付近に構成されるブリッジ要素１８の断面よりも小さな断面を有する。
【００９０】
特に、ブリッジ要素の断面は、ヒンジ３に近いほど漸進的に増大する。
【００９１】
その結果、キャップ手段１を最初に閉じる間、応力が加えられる第１のブリッジ要素１８は、ヒンジ１３に最も近いもの、すなわち最も抵抗の大きなものである。
【００９２】
これは、キャップ手段１を最初に閉じる間にブリッジ要素１８が破損又は破断する危険性が低減することを意味する。
【００９３】
キャップ手段１を最初に開く間、最も応力が加えられるブリッジ要素１８は、グリップ要素１２に最も近いもの、すなわち最も抵抗の小さなものである。
【００９４】
これにより、キャップ手段１を最初に開くことを容易にすることができる。
【００９５】
結論として、ブリッジ要素１８の断面は、グリップ要素１２からヒンジ１３に進むにつれて増大するため、キャップ手段１を最初に閉じる間にブリッジ要素が破断する危険性を制限し、改良されたシールを得ることが可能である。
【００９６】
図６及び図７は、対応する単一のロック部分（さらなるロック部分３８）と協働する単一の不正開封防止バンド（さらなる不正開封防止バンド３７）を備えるキャップ手段１の別の実施形態を示す。
【００９７】
さらなるロック部分３８は、分注部分８に対してヒンジ１３の反対側に構成されるのに対して、さらなる不正開封防止バンド３７はグリップ要素１２付近に構成される。このようにして、蓋要素３が閉構成Ａ（図７に示される）にあるとき、さらなる不正開封防止バンド３７はさらなるロック部分３８と協働し、グリップ要素１２と静止表面９との間に構成される。さらなる不正開封防止バンド３７は、不正開封防止バンド１７よりも大きな広がりを有することができ、より多数のフック要素２３、例えば３つのフック要素２３を備えることができる。これに対応して、さらなるロック部分３８に３つのフック穴２８を設けることができる。
【００９８】
さらなる不正開封防止バンド３７に、不正開封防止バンド１７よりも多数のブリッジ要素１８（例えば、４つ）を設けることができる。
【００９９】
したがって、さらなるロック部分３８は対応する数の制御開口３６を備えることができる。
【０１００】
図１〜図９を参照すると、本体２がネックから緩められると破断し、それにより、キャップ手段が開かれた又は不正開封されたことを示すブリッジ部分４０を通して、不正開封防止リング３９を本体２に接続することができる。
【０１０１】
図８に示すように、分注部分８は、静止表面９に略平行に構成される壁手段４３から突出し、不正開封防止リング３９から静止表面９よりも離れている。
【０１０２】
このような場合、使用者は口を静止表面９ではなく壁手段４３に置くことができ、偶然であっても、ロック部分２６又はさらなるロック部分３８との接触が防止される。
【０１０３】
図９を参照して、本体２に得られ、蓋要素３が閉構成Ａであるときに不正開封防止バンド１７を受けるように構成される凹手段４４を備えるキャップ手段１が示される。
【０１０４】
凹手段４４は静止表面９に開口４５を有し、側壁４の延長部を画定するように位置決めされるロック部分２６に部分的に接合する。
【０１０５】
ロック部分２６は、開口４５を通して凹手段４４から突出しない。
【０１０６】
換言すれば、ロック部分２６は、本体２から静止表面９を越えて突出しないような形状である。
【０１０７】
このようにして、キャップ手段１は、偶然にであっても、ロック部分２６に接触する危険性のない使用者にとってより快適である。
【０１０８】
図８に示す実施形態及び図９に示す実施形態の両方において、壁手段４３又は静止表面９によりマウスピース表面手段をそれぞれ識別し、画定することができ、マウスピース表面手段は、使用者の口を受けるように構成され、ロック部分２６よりも分注部分の逆の本体２のゾーンから離れている。
【０１０９】
本発明は、非限定的な例として本発明のいくつかの実施形態を示す添付図面を参照してよりよく理解し、実施することができる。
【図面の簡単な説明】
【０１１０】
【図１】閉構成のキャップ手段の側面図である。
【図２】開構成の図１のキャップ手段の側面図である。
【図３】開構成の図１のキャップ手段の斜視図である。
【図４】閉構成の図１のキャップ手段の一部の部分拡大側面図である。
【図５】閉構成の図１のキャップ手段の一部を示す部分拡大側面図である。
【図６】閉構成のキャップ手段の別の実施形態の斜視図である。
【図７】開構成のキャップ手段を示す図６のような図である。
【図８】キャップ手段のさらなる一実施形態の縦平面に沿った断面である。
【図９】キャップ手段のさらなる実施形態の斜視図である。
【符号の説明】
【０１１１】
１キャップ手段
２本体
３蓋要素
４側壁
５ネジ切り
６端壁
７さらなる側壁
８分注部分
９静止表面
１０閉鎖部分
１１閉鎖壁
１２グリップ要素
１３ヒンジ
１４接続要素
１５弾性接続要素
１６開封インジケーション手段
１７不正開封防止バンド
１８ブリッジ要素
１９エッジ表面
２０第１の表面
２１第２の表面
２２開封ゾーン
２３フック要素
２４第３の表面
２５ロック表面
２６ロック部分
２７第１の壁
２８フック穴
２９ロック表面
３０係合促進表面
３１第２の壁
３３端部ガイド要素
３４ガイド要素
３５中間ガイド要素
３６検査開口
３７さらなる不正開封防止バンド
３８さらなるロック部分
３９不正開封防止リング
４１突出手段
４２穴
４３壁手段
４４凹手段
４５開口
【図１】
2009525928.tif 000003
【図２】
2009525928.tif 000004
【図３】
2009525928.tif 000005
【図４】
2009525928.tif 000006
【図５】
2009525928.tif 000007
【図６】
2009525928.tif 000008
【図７】
2009525928.tif 000009
【図８】
2009525928.tif 000010
【図９】
2009525928.tif 000011
【国際調査報告】
2009525928.tif 000012
2009525928.tif 000013
2009525928.tif 000014
2009525928.tif 000015